(57)【特許請求の範囲】
【請求項１】
円筒ころ（３）のピッチ円（７）がウェブ（２）の保持器径方向での中央位置と保持器の内周面との間に位置し、ウェブ（２）の案内面が円筒ころ（３）の外周面に合わされて、これにより保持器の内周面の範囲に保持縁が形成され、この保持縁を越えて円筒ころ（３）がポケットの中にスナップ嵌入される円筒ころ軸受のもみ抜き保持器において、案内面（４）が円筒ころ（３）の外周面に合う曲面で形成されていると共に円筒ころ（３）の円周方向に延びた円弧状の少なくとも一つの帯状領域（１０）によって中断され、この帯状領域（１０）が保持器のピッチ円（７）よりも外側の径方向外側部位にて案内面（４）の中に溝（１１）として窪まされ、ピッチ円（７）よりも内側の径方向内側部位にて円筒ころ（３）に対する補助的な保持突起（１２）として案内面（４）より突き出しており、上記帯状領域（１０）は、該帯状領域（１０）によって中断されて軸線方向にて該帯状領域（１０）の両側に位置するいずれの案内面（４）よりも、軸線方向での幅が狭くなっていることを特徴とする円筒ころ軸受のもみ抜き保持器。
【請求項２】
帯状領域（１０）の溝（１１）が、対向せる円筒ころ（３）の周面と共に、軸線に直角な面での断面にて、Ｖ形状をなす空間を形成していることとする請求項１に記載の円筒ころ軸受のもみ抜き保持器。
【発明の詳細な説明】
【０００１】
【発明の属する技術分野】
本発明は、円筒ころのピッチ円がウェブの保持器径方向での中央位置と保持器の内周面との間に位置し、ウェブの案内面が円筒ころの外周面に合わされて、これにより保持器の内周面の範囲に保持縁が形成され、この保持縁を弾性撓みさせてこれを越えるように円筒ころがポケットの中にスナップ嵌入される円筒ころ軸受のもみ抜き保持器に関する。
【０００２】
【従来の技術】
米国特許第２３２７２３７号明細書により、保持器のウェブにおける円筒ころのための案内面を凹面状に形成して円筒ころの外周面形状に合わせることは既に知られている。これによってウェブの径方向内側および外側に縁部が形成され、これらの縁部で円筒ころを保持するための係合部を形成している。その係合の度合いは、保持器内における円筒ころの径方向位置に、即ち保持器の外周面および内周面に関する円筒ころのピッチ円の位置に左右される。さらに、円筒ころを嵌め込むことができるようにするため、ないしは保持器の弾性を利用してスナップ嵌入することができるようにするためには、上記縁部が円筒ころを少なくとも円周面において僅かにつかみさえすればよい。
【０００３】
案内面自体は、良好に潤滑を行なうためにその曲率および円筒ころ外周面に対する隙間が最良に設定されている。潤滑油の分布を良好にするために、保持器が弾性撓みを伴って円筒ころに接触する際に縁部が潤滑油を円筒ころから掻き落とさないようにしなければならない。
【０００４】
【発明が解決しようとする課題】
本発明の課題は、冒頭に述べた形式のもみ抜き保持器を、潤滑油が良好に分布され、保持器の弾性撓みが僅かであり、潤滑油の円筒ころからの掻き落としを確実に阻止するように改良することにある。
【０００５】
【課題を解決するための手段】
この課題は本発明に基づいて、案内面が円筒ころの外周面に合う曲面で形成されていると共に円筒ころの円周方向に延びた円弧状の少なくとも一つの帯状領域によって中断され、この帯状領域が保持器のピッチ円よりも外側の径方向外側部位にて案内面の中に溝として窪まされ、ピッチ円よりも内側の径方向内側部位にて円筒ころに対する補助的な保持突起として案内面より突き出しており、上記帯状領域は、該帯状領域によって中断されて軸線方向にて該帯状領域の両側に位置するいずれの案内面よりも、軸線方向での幅が狭くなっていることによって解決される。
【０００６】
その案内面は円筒ころの曲率に合わせて形成され、したがって最良の潤滑に対して設計されている。この場合において、保持器は特別な運転条件のもとで、保持器がウェブの保持器外周面側の上側縁部で円筒ころの上に載る程度で、弾性撓みを生ずるか、中心から変位することがある。このままでは、その際に潤滑油は掻き取られてしまう。これを避けるために、本発明では、径方向内側に位置する補助的な保持突起が形成されている。この補助的な保持突起は保持器が撓んだ際に非常に狭い軌跡で円筒ころ外周面の上に載り、保持器の撓みを著しく減少する。この部位でも円弧状の帯状領域はウェブにＶ形潤油溝を形成し、このＶ形潤油溝はこの部位における潤滑を良好する働きをする。
【０００７】
【発明の実施の形態】
以下、図１および図２に示した実施形態を参照して本発明を詳細に説明する。
【０００８】
図に示されているもみ抜き保持器は両側のサイドリング１およびこれらの両サイドリング１を連結しているウェブ２から成っている。これらは円筒ころ３に対するポケットを境界づけている。円筒ころ３に対面するウェブ側面は案内面４として円筒状凹面に形成され、円筒ころ３に合致した形状となっている。円筒ころ３と案内面４との間には潤滑油搬送用の隙間６が存在している。円筒ころ３のピッチ円７はウェブ２の保持器径方向での中央位置と保持器の内周面８との間に位置している。このために保持器の外周面５の範囲に円筒ころ３を包囲するはっきりした保持部分９が生じているが、保持器の内周面８の範囲では僅かしか保持作用をしない。
【０００９】
ウェブ２の軸方向中央に各案内面４に円筒ころ３の円周方向に延びる円弧状をした帯状領域１０が設けられている。この帯状領域１０は保持器の外周面５に対して深くなっている溝１１を形成し、保持器の内周面８に向かって案内面４から高く突き出ている。これによってウェブ２の両側案内面４にその保持器の内周面８の近くに円筒ころ３の近くまで達する補助的な保持突起１２が生じている。この保持突起１２は保持器内における円筒ころ３の径方向運動を抑えて減少するか、あるいは逆に言えば保持器は制限された径方向運動隙間を有する。このために図２の左側には図１のＡ−Ａ線に沿った断面図が、図２の右側には図１のＢ−Ｂ線に沿った断面図が示されている。したがって図２の左側から残りの案内面４から突出する補助保持突起１２を認識することができ、これは図２の右側でも断面で理解できる。さらに、図２の右側において保持器の外周面５に向かって溝状に深くなっている帯状領域１０が理解できる。
【００１０】
上述した実施形態と異なって二つ以上の帯状領域１０を案内面４にその軸方向に分布して設けることもできる。
【００１１】
【発明の効果】
以上のように、本発明は、案内面が円筒ころの円周方向に延びた円弧状の少なくとも一つの帯状領域によって中断され、この帯状領域が保持器の径方向外側部位において案内面の中に窪まされ、径方向内側部位にて円筒ころに対する補助的な保持突起として案内面より突き出していることとしたので、もみ抜き保持器において、潤滑油が良好に分布され、保持器の弾性撓みが僅かであり、潤滑油の円筒ころからの掻き落としを確実に阻止ことができるという効果を得る。
【図面の簡単な説明】
【図１】  本発明に基づく円筒ころ軸受のもみ抜き保持器の部分断面図である。
【図２】  図１におけるＡ−Ａ線（左側）およびＢ−Ｂ線（右側）に沿った断面図である。
【符号の説明】
１  サイドリング
２  ウェブ
３  円筒ころ
４  案内面
５  保持器の外周面
６  隙間
７  円筒ころのピッチ円
８  保持器の内周面
９  保持部分
１０  帯状領域
１１  溝
１２  補助的な保持突起
【図１】
0004326051.tif 000002
【図２】
0004326051.tif 000003